(57)【要約】【課題】  従来の金融業者等の金銭出納ブースは、出金権利者の背後からや盗撮カメラによる場合や金銭出納機からの漏出電磁波等による暗証番号が読み取られての、スキミングによる通帳預金額が読み取り者らによって不正に引き出される可能性が高いので、このような出金権利者の被害を防止すると共に、金融業者等の信用を高める。【解決手段】  ４桁の暗証番号の数字だけではなく、限定するか又は任意の個数の数字を出金権利者が、それらの暗証番号の数字の間や前後に挿入しても、暗証番号が金銭自動出納機構部に正確な信号を送ると共に、余分な数字の信号を削除できるような構造構成と、正確な暗証番号の電磁波の発散を任意の数字にも同様に発散させての電子的スキミングをも防止できるようにする。【選択図】            図１
2006252493.tif 000002
【特許請求の範囲】
【請求項１】
金融機関等が設置の金銭自動出納装置での出金時に、金融機関等が、暗証番号の桁数に、出金権利者が自由に選べる数字の桁数をも加えた特定桁数を限定として数字ボタンを押すように、あるいは、その特定桁数内で暗証番号の１の位の数字ボタンを押したら出金できる様に定められている場合において、出金権利者が出金操作をする際に、この金銭自動出納装置周辺の電磁気的機構的接続状況を次の様に設定の、即ち、第１に、出金希望額の金額等表示画面上の１０個の数字ボタンを押す場合に、この装置の設置者金融機関等側で指定した暗証番号の桁数、例えば「４桁」よりも大である特定回数までを押す度に全て確認音が発生する発音電気部の機構が金銭自動出納機構部制御機構から独立分離してあり、かつ、それらの押された数字ボタンの数字信号が全て当該金銭自動出納機構部制御機構まで到達するようにしてあって、第２に、金額等表示画面上の無印等の制御ボタンは、押しても音が発生しないようにしてあり、かつ、押しても特定回数に含まれない様にしてあり、第３に、１０個の数字ボタンの内の、金融機関等が定めたボタンの押し回数分を押した数字ボタンの数値を現す電気信号の全てが２本の導線により順次に金銭自動出納機構部制御機構内に伝達されるように接続されており、第４に、この導線の片方と、金銭自動出納機構部制御機構全体を覆う様に設置してあって接地もしてある金属網の外部との間には、適当なコンデンサーが挿入して接続してあり、この導線の片方の他端は金銭自動出納機構部に接続させてあり、第５に、この導線の他方側は、信号制御機構部を通って金銭自動出納機構部に接続してあり、第６に、信号制御機構部内に入った他方側では、実施例として、設置者側で定めてある、金額等表示画面上の制御ボタンを押した状態かその逆の押さない状態かによって、出金権利者が記憶している暗証番号の数字と順番だけが金銭自動出納機構部の方に伝送されるようにしてあり、実施例としての押した時には暗証番号でない数値がその場で電圧が途切れる様にした場合では、即ち、特定個数から暗証番号の桁数を引いた回数に相当する組の数字ボタンを押した時の、その数字の電気信号だけは、金銭自動出納機構部に伝達されないようにする目的で、これらの数字ボタンを押す直前に制御ボタンを先に押すようにすることで、制御ボタン用の導線に電流が流れて同部内のコイルが磁化し、鉄片導体が端子接点から離れる様にしてある事で、又は、制御ボタンと鉄片導体とが針金で接続されてあって、共に、制御ボタンを押せば信号伝達が遮断される様にしてあり、第７に、特定個数の最後の数字ボタン押しの時点で、あるいは、その特定個数より少ない時点での暗証番号の最後の桁の数字が出金権利者によって押される場合には、金銭自動出納装置の電気部の機構が、正規の暗証番号が完全に得られたとして、出金権利者の希望額だけ出金する様にしてあり、かつ、抑制ボタンには、数字ボタンを押した回数が特定回数まで電気的に表示できるようにしてある場合も含めた、金銭自動出納装置でのスキミング等防止機構の方法。
【請求項２】
金融機関等が設置の金銭自動出納装置での出金時に、金融機関等が、暗証番号の桁数に、出金権利者が自由に選んだ数字の桁数をも加えた入力桁数を限定せずに出金権利者の自由に任せて数字ボタンを押すように定められている場合において、出金権利者が出金操作をする際に、この金銭自動出納装置周辺の電磁気的機構的接続状況を次の様に設定の、即ち、第１に、出金希望額の金額等表示画面上の１０個の数字ボタンを押す場合に、この装置の設置者金融機関等側で指定した暗証番号の桁数、例えば「４桁」よりも大である自由な回数までを押す度に確認音が発生する発音電気部の機構が金銭自動出納機構部制御機構から独立分離してあり、かつ、それらの押された数字ボタンの数字信号が全て当該金銭自動出納機構部制御機構まで到達するようにしてあって、第２に、金額等表示画面上の無印等の制御ボタンは、出金権利者が、既に暗証番号を正確に打ち終わったとの確認用のボタンであり、これを押したときに、金銭自動出納機構部がそれを確認した場合には、希望出金金額が排出され、暗証番号が確認できない場合には全く出金されない様になっており、確認されない表示が適当に画面に出るようにしてあり、第３に、１０個の数字ボタンの内の、出金権利者が記憶する暗証番号の数字と順序とを変えずに、それらの桁の数字の前後や中間に自由に選んだ数字を挿入して押すことにより、それらの数字信号が２本の導線で、順次に金銭自動出納機構部制御機構内に伝達されるように接続されてあり、第４に、この２本の導線の片方は、金銭自動出納機構部制御機構全体を覆う様に設置してあって接地もしてある金属網の外部との間には、別な導線で接続してあり、かつ、この導線の中間には、適当なコンデンサーが挿入して接続してあり、上の２本の導線の片方の他端は金銭自動出納機構部制御機構内の金銭自動出納機構部に直接に接続させてあって、第５に、この２本の導線の他方側は、信号制御機構部を通って金銭自動出納機構部に接続してあり、第６に、信号制御機構部内に入った他方側では、設置者が定めた様に、押した状態かその逆の押さない状態かによって、異なるが、実施例として、金額等表示画面上に設けてあるか、あるいは、それよりも出金権利者の身体側近くに設置してあるかの、別設制御ボタンを押さない場合には、数字ボタンの信号が金銭自動出納機構部に伝達されるようになっており、即ち、出金権利者が記憶している暗証番号の数字と順番だけが金銭自動出納機構部の方に伝送されるようにする時だけは、押さずにいれば良くて、その他の任意に選んだ数字のボタンを押す直前にだけ、別設制御ボタンを押すようにすれば、実施例では、その様な暗証番号でない数値と桁順でない信号は、その場で電圧が途切れる様になる場合が示してあり、即ち、自由に選んだ暗証番号でない数字ボタンを押す直前に、この別設制御ボタンを押すと、この暗証番号でない数字ボタンの数字の電気信号だけは、金銭自動出納機構部に伝達されないようにするために、この別設制御ボタンの導線に電流が流れて同部内のコイルが磁化し、鉄片導体が端子接点から離されてしまう事で信号が遮断される様にしてあり、別な実施例では、別設制御ボタンと鉄片導体とを針金で結合し、別設制御ボタン押しで鉄片導体が端子接点から離れるようにする場合があり、第７に、暗証番号の最後の桁の数字ボタンが出金権利者によって押された直後か、その後に、他の自由選択の数字ボタンを押されてからかに、出金解除ボタンを押せば、その時点で、金銭自動出納装置の電気部の機構が、正規の暗証番号が得られたと感応して、出金権利者の希望額だけ出金する様にしてあり、暗証番号が得られてないと感応した場合には、再度の操作再開の指示が画面に出るようにしてある、金銭自動出納装置でのスキミング等防止機構の方法。
【発明の詳細な説明】
【技術分野】
【０００１】      本発明は、金融機関等での金銭自動出納装置からの出金権利者の暗証番号のスキミング等による預貯金の窃盗被害を防止する、金銭自動出納装置の１部の改良の方法を示した機構的電磁気的改良と金銭等表示画面等の改良に関する。
【背景技術】
【０００２】      従来の金融機関等においての金銭自動出納装置の設置状況は、出金権利者が個人用ブースの中に入って出納操作をしている際には、斜め後方の第３者には充分に操作の数値を読み込まれてしまう状況が多分にあり、巧妙に盗撮カメラをブース内に設置したりで、暗証番号が盗まれたり、その後に、カードを複製されたりしてから、通帳等を盗まれてしまう場合には、他所での金銭の勝手に引き出されてしまう被害を防止できなかった程に、その被害が甚大になってきていた。【０００３】      出金権利者の暗証番号の主として４桁だけでは、盗賊側からすれば暗証番号が盗み易かった訳である。【０００４】      その防御のための、例えば、ブースを個室型や開閉扉設置の場合では利用者に敬遠されたり、破壊工作に利用されかねない恐れがまつわる事が原因である可能性もあっての、普及が進まないのが現状である。【０００５】      最近では、出金権利者の手掌面等の血管の登録等が採用されてきているが、不時の代理者による出金への対応には役立たないことが言える。
【発明の開示】
【発明が解決しようとする課題】
【０００６】      上に述べた金融機関等での金銭自動出納装置の形態をほとんど改修せずに、しかも、盗み見や電子的信号電磁波の受信やらを排除するためには、金銭自動出納装置の暗証番号の桁数の増加をすれば、１桁増加で盗賊らの暗証番号の読み取りの手間が１０倍に、２桁増加で１００倍になるが、出納権利者の過去の記憶を変更させるのは容易ではないので、この方面の実現は難しい事情がある。【０００７】      従って、スキミングの防止には、金融機関の側が出金権利者の為に、暗証番号の桁数を増加させずに、出金権利者の任意放縦な数字ボタンの自由押し挿入で増加させても暗証番号に影響しない様な状況を設定する他はないとの考えが湧出してくるわけである。
【発明を解決するための手段】
【０００８】      図１は、本発明の、金融機関等でのブース内に設けた金銭自動出納装置の請求項１の実施例、第２図は同じく金銭自動出納装置の請求項２の実施例であり、それぞれの構成組織図を示している。
【０００９】      図１でも、図２でも、ブース内の金額等表示画面１０には、実施例としての１０個のそれぞれの数字付の押しボタンの、それぞれの数字ボタン１、２、３、４、５、６、７、８、９、０が従来通りに設定してあるが、図面には共に示していないが、出金権利者が、出金金額高の意志表示を入力操作した直後には、これらのどのボタンを押しても、必ず同一でも異なる様でもの音声が発するように、従来と同様に、金銭自動出納装置から発音電気部１１が分離独立させてあり、導線１２で金額等表示画面１０と接続し設置してある。
【００１０】      請求項１での実施例の図１では、金額等表示画面１０の空白の位置に無印で説明が付けられた様な押しボタンである抑制ボタン２０が設置してある。
【００１１】      請求項２での実施例の図２では、前項００１１と同様な無印ボタンをそのまま出金解除ボタン２８として利用することがあるが、桁数０用の数字ボタン等の反対側の空白部に、同様なボタンを設定し、出金解除ボタン２８として設置する場合が可能である。
【００１２】      然し乍ら、同請求項２では、実施例としての抑制ボタンは、図２の様に、出金権利者の身体のすぐ側近くにあって、その後方の第３者からのスキミングができない様な、金額等表示画面１０と同一の台面上等に設置した別設抑制ボタン３０が設置してある場合の方がスキミング防止には効果が高いので、そのような場合を実施例として示した。
【００１３】      図１でも、図２でも、従来の機構では、金銭自動出納装置の本体である金銭自動出納機構部１４の方へ、金額等表示画面１０上の押した数字ボタンの数値と押した順序が、出金権利者の暗証番号としての情報が電気信号として送られる。
【００１４】      本発明請求項１でも請求項２でも、金額等表示画面１０上の桁数０乃至９用の数字ボタン０乃至９のどれが押されても、押されただけの分の電気信号の全ては、押された順に、電気回路の２本の導線１８により、金銭自動出納機構部制御機構１９に入り、その内の１本は金銭自動出納機構部１４に直接接続してある。
【００１５】      ２本の導線１８の前項の１本は金銭自動出納機構部制御機構１９の外部の金網と、導線３１で接続してあり、この導線３１は中間で２分されて適当な容量のコンデンサー１６の両極を挟むように接続してある。
【００１６】      ２本の導線１８の内の他の１本は、信号制御機構部１３を経て金銭自動出納機構部１４に間接接続されてあるが、その信号制御機構部１３内では２分され、それらの２個の端点の端子部支点２１と端子接点２４とに分離されてあり、これら両端子は、別の部品の鉄片端子２５で接続してあって、その近くのばね支点２２に１端が固定されてあるばね２３の他端により圧迫されて両端子に充分に接触するようにしてあり、両端子間の導通が完全である様にしてある。
【００１７】      金銭自動出納機構部制御機構１９の外部の金網は、２本の導線１８の端子部支点２１を持つ方と結合されてあり、接地１５もしてあって、常に、電位０を保っている。
【発明の効果】
【００１８】      この請求項１での実施例としての、鉄片端子２５は、出金権利者が、図１の請求項１では抑制ボタン２０を押したままで、暗証番号の桁と数とは異なる桁と数に当る任意の数の数字ボタンを擬似的に押し加える操作をする事で、盗み見する者の目を欺く陽動作戦とする場合となるので、コイル２６が既に電磁石になっていて、端子接点２４から鉄片端子２５が離れている事から、その擬似的な桁と数字は金銭自動出納機構部１４には届かず、暗証番号を乱す信号が排除される様に処理をされ、それまでに押された暗証番号の上位数がそのまま安全に金銭自動出納機構部１４に保存されることになる。
【００１９】      請求項２では、図面２の実施例でも、別設制御ボタン３０が押されている間に暗証番号ではない数字ボタンが押されている場合にも、鉄片端子２５が端子接点２４から離れているので、金銭自動出納機構部１４への余分な数字信号が入り込む状況が遮断されてしまうので、それまでの暗証番号の記憶が維持されていることになる。
【発明を実施するための最良の形態】
【００２０】      請求項１の場合では、出金権利者がボタン操作による暗証番号の最後の番号が押された時点で、金銭自動出納機構部１４が自動的に暗証番号が正確に入力されたとの判断をするので、金銭自動出納装置に対する実施例により、出金希望金額が出納口から排出されるようになっているが、それ以上の余分な数字の信号が入って来ても、数字ボタンが押された回数が従来機器と同様に、暗証番号が正確に入力された後である場合でも、特定桁数の最後の桁相当の数字ボタンを押した直後に、出納口から希望出金額が排出されるようになっている場合もある。【００２１】      請求項２の実施例の場合でも、信号制御機構部１３内での暗証番号の桁と数字とその順序の金銭自動出納機構部１３への通過と遮断の電磁的な処理が、請求項１の実施例の場合と同様に作用するが、ただ、制御ボタン２０の代りに別設制御ボタン３０によって余分な番号ボタン押しによる暗証番号以外の信号の通過の乱れは、出金権利者の別設制御ボタン３０の正しい操作によってのみで阻止されるので、自由に押してきた番号ボタンがどの様であっても、暗証番号だけを金銭自動出納機構部１４に記憶させさえすれば、出金解除ボタン２８を押すことで、それまでの、暗証番号の信号が金銭自動出納機構部１４内の記憶部に入力され記憶されていた出金態勢の状況が、出金権利者による別設制御ボタン３０を押しても作用しなかった機能停止状況が解除され、出金機能がが働くことになり、金銭出納口から希望出金額が排出される事になる。【００２２】      なお、導線１８と金銭自動出納機構部制御機構１９の金網とを別の導線３１の２本でコンデンサー１６を挟むように接続し、かつ、導線１８の端子部支点２１を持つ側の１本と、金銭自動出納機構部制御機構１９の接地１５してある金網とは結合させてあり、金額等表示画面１０上の桁数０〜９用の数字ボタン押しをした全ての数字の信号の電磁波を、金銭自動出納機構部制御機構１９の金網の外部に放出させて、電磁波の盗聴装置によるスキミングを防止する目的の装置としてある。
【実施例１】
【００２３】      実施例としての、請求項１での制御ボタン２０を押して導線１７に電流を流したり、請求項２での別設制御ボタン３０を押して導線２９に電流を流したりして、コイル２６を磁化させた等の際に発する電磁波が防御できない場合を考慮して、導線１７又は導線２９の代りに、制御ボタン２０や別設制御ボタン３０を押したときに、これらと鉄片端子２５とを伸びない針金等によって鉄片端子２５を端子接点から引き離す様にする実施例の場合をも考慮することで、本発明の効果を高める事ができる。
【実施例２】
【００２４】      上述したように、本発明のスキミング防止対策機構を設定した金融業者等が設置の金銭出納機における出金権利者の金銭出金時の暗証番号等の盗み見や電子磁気感応摂取等は、請求項１の場合でも請求項２の場合でも不可能に近くなるので、金銭自動出納機構部制御機構１９の外装を破壊しての、その内部から直接の信号電磁波の盗聴等を除いては、本発明のスキミング被害に及ぼす被害防止に絶大な効果が発揮できる。
【産業上の利用可能性】
【００２５】      請求項１の場合では、特定桁数が少なくても済むし、多くすることもできるので、寸暇を惜しむ出金権利者に喜ばれ、請求項２の場合では、慎重に大きな財産の不法な奪取をされないようにする出金権利者に喜ばれる効果がある。【００２６】      スキミング狙いの盗賊にとっては、ブースに何かの仕掛けして電子的な信号の解読ができるとしても、請求項１の場合で特定桁数を６桁としても、最後の暗証番号がスキミングされた場合でも、スキマーにとっては、なおも、暗証番号４桁ならば１０万回以上の検索をしなければならないし、請求項２では、それ以上の膨大な検索をしなければならないので、スキミング被害を絶対的に防止することが可能である。
【図面の簡単な説明】
【００２７】
【図１】      本発明の実施例の形態の、金融機関等が設置の金銭自動出納装置に請求項１の実施例の、発明の実施組成の１ブース分の金額等表示画面と金銭自動出納機構部制御機構との関係組成を示した金銭自動出納装置の状況図。
【図２】      本発明の実施例の形態の、金融機関等が設置の金銭自動出納装置に請求項２の実施例の、発明の実施組成の１ブース分の金額等表示画面と別設制御ボタン、及び、金銭自動出納機構部制御機構との関係組成を示した金銭自動出納装置の状況図。
【符号の説明】
【００２８】０    ０用の数字ボタン
１    １用の数字ボタン
２    ２用の数字ボタン
３    ３用の数字ボタン
４    ４用の数字ボタン
５    ５用の数字ボタン
６    ６用の数字ボタン
７    ７用の数字ボタン
８    ８用の数字ボタン
９    ９用の数字ボタン
１０  金額等表示画面
１１  発音電気部
１２  導線
１３  信号制御機構部
１４  金銭自動出納機構部
１５  接地
１６  コンデンサー
１７  導線
１８  導線
１９  金銭自動出納機構部制御機構
２０  制御ボタン
２１  端子部支点
２２  ばね支点
２３  ばね
２４  端子接点
２５  鉄片端子
２６  コイル
２７  導線
２８  出金解除ボタン
２９  導線
３０  別設制御ボタン
３１  導線
【図１】
2006252493.tif 000003
【図２】
2006252493.tif 000004